(57)【要約】      （修正有）【課題】装着性に優れ、十分な体型補正機能を得ることは勿論のこと、ウエスト部分の仕上がりが美麗で且つウエスト部分の装着感が良好な補正機能付アウターボトム及びその製造方法を提供する。【解決手段】アウターボトム本体１０と体型補正用インナー２０とが相互の上辺１１同士でのみ縫着された補正機能付アウターボトム１において、体型補正用インナー２０の腹部補正体２３の上縁にはその幅方向に沿って少なくとも２箇所以上に亘り刳り２９が設けられ、アウターボトム本体１０の上辺１１と体型補正用インナー２０の上辺とが重ねられた状態でこれら両者が内側に折り返されるとともに、その折り返し部の内側に、アウターボトム本体１０と同じ生地からなる帯状布を長手方向に沿って二つ折りするとともにその内奥部に幅広の伸縮帯を内装したベルト３０が、帯状布の折り重ね部分で縫着されている。【選択図】図１
2013181253.tif 000002
【特許請求の範囲】
【請求項１】
アウターボトム本体の股上部の内側に体型補正用インナーが配され、前記アウターボトム本体と前記体型補正用インナーとが相互の上辺同士でのみ縫着された補正機能付アウターボトムにおいて、
前記体型補正用インナーは、その前見頃に腹部を補正する腹部補正体が前記上辺から股部にかけて設けられる一方、その後身頃には下臀部を支持するヒップアップ補正体が前記腹部補正体と一連に設けられるとともに、前記腹部補正体の上縁にはその幅方向に沿って少なくとも２箇所以上に亘り刳りが設けられ、
前記アウターボトム本体の上辺と前記体型補正用インナーの上辺とが重ねられた状態でこれら両者が内側に折り返されるとともに、その折り返し部の内側に、前記アウターボトム本体と同じ生地からなる帯状布を長手方向に沿って二つ折りするとともにその内奥部に幅広の伸縮帯を内装したベルトが、前記帯状布の折り重ね部分で縫着されたことを特徴とする補正機能付アウターボトム。
【請求項２】
請求項１に記載の補正機能付アウターボトムにおいて、
前記体型補正用インナーは、その股部にクロッチが設けられたことを特徴とする補正機能付アウターボトム。
【請求項３】
請求項１又は２に記載の補正機能付アウターボトムにおいて、
前記体型補正用インナーは、太腿の上部を覆う脚部を有することを特徴とする補正機能付アウターボトム。
【請求項４】
請求項１から３のいずれか一つに記載の補正機能付アウターボトムにおいて、
前記体型補正用インナーは、パワーネットまたはトリコットまたはサテンネットからなることを特徴とする補正機能付アウターボトム。
【請求項５】
請求項１から４のいずれか一つに記載の補正機能付アウターボトムにおいて、
前記アウターボトム本体は、スラックス、フィットネスパンツ、レギンスパンツ、スウェットのうちから選択されたいずれか一つであることを特徴とする補正機能付アウターボトム。
【請求項６】
前見頃に腹部を補正する腹部補正体が上辺から股部にかけて設けられる一方、後身頃には下臀部を支持するヒップアップ補正体が前記腹部補正体と一連に設けられるとともに、前記腹部補正体の上縁にはその幅方向に沿って少なくとも２箇所以上に亘り刳りが設けられた体型補正用インナーをアウターボトム本体の内側に配してから、前記アウターボトム本体の上辺と前記体型補正用インナーの上辺とを重ねた状態で前記体型補正用インナーの上辺を伸ばしながら前記アウターボトム本体に体型補正用インナーの上辺の部分仕付けを行った後前記上辺同士を環縫いにより縫着し、次いで、その縫着部分をアウターボトム本体の内側に折り返すとともに、その折り返し部の内側に、前記アウターボトム本体と同じ生地からなる帯状布が長手方向に沿って二つ折りされるとともにその内奥部に幅広の伸縮帯が内装されたベルトを、前記帯状布の折り重ね部分で縫着することを特徴とする補正機能付アウターボトムの製造方法。
【発明の詳細な説明】
【技術分野】
【０００１】
本発明は、例えば、外衣としてのスラックス、フィットネスパンツ、レギンスパンツ、スウェットといった、所謂アウターボトムと呼ばれる下衣、特に腹部及び臀部の体型補正が可能な補正機能付アウターボトム及びその製造方法に関する。
【背景技術】
【０００２】
従来、例えば、スラックス、フィットネスパンツ、レギンスパンツといった伸縮性の高い身体にフィットしたアウターボトムを着用するとき、あるいは反対に、例えば、スウェットといった身体から離れたルーズフィットなアウターボトムを着用するとき、いずれもそれなりに着心地は楽で良いが、脇部や尻部が押さえられないため、体型が表に出たり、下着のラインがアウターボトムの表に映り美観を損なうことが多かった。また、アウターボトムの下にガードルなどの補正下着を着けることにより、体型を整えることは可能であったが、それらは締め付け感が強く着用快適性に劣るとともに、着たり脱いだりするのが面倒でもあった。このような問題を解決するため、アウターボトム本体の内側に体型補正機能を備えたインナーを配したアウターボトムがいろいろと提案されている（例えば、特許文献１、２参照）。
【０００３】
特許文献１では、パンツ又はスカート形体を有する外被部と、該外被部内に設けられたパンツ又はスカート形体を有する下着部とを有する下半身用の装身着が提案されている。この装身着によれば、外被部に対し、その内部に下着部（ガードル等に相当）が設けられているので、整理、取り扱い、着脱等につき、これら両者で別々に行う必要がなく、また、外被部と下着部とを互いのウエスト部で縫着する構造にしておけば、それぞれの特性（例えば伸縮性や通気性等）を、互いに干渉させることなく十分に活かすことができるとされている。
【０００４】
特許文献２では、パンツ本体と、パンツ本体の内側に配置されるガードルとを備えているパンツであって、ガードルの前面中央と、後面の左右とに、着用状態において下腹を押さえ込み補正する第１補正体と、ヒップ部分を持ち上げ補正する第２補正体とが、それぞれ縫着されており、ガードルのウエスト部分を、パンツ本体のウエスト部分に縫着して、ガードルがパンツ本体と一体化してあるパンツが提案されている。このパンツによれば、ガードルの前面中央と後面の左右とに、着用状態において下腹を押さえ込み補正する第１補正体と、ヒップ部分を持ち上げ補正する第２補正体とをそれぞれ縫着し、ガードルのウエスト部分をパンツ本体のウエスト部分に縫着することによって両者を一体化しているので、補正用生地パーツがパンツ本体に直接縫着してあるパンツに比べて、パンツの全体構造が簡素化し、縫製に要する手間を省くことができる。また、ガードルのウエスト部分をパンツ本体に縫着して両者を一体化しているので、着用状態においてパンツ本体の形成生地の弾性力に影響されることなく、ガードルおよび両補正体で体型補正を適正にしかも効果的に行え、補正用生地パーツがパンツ本体に直接縫着してあるパンツに比べて、着用状態におけるガードルの窮屈感を軽減できるとされている。
【先行技術文献】
【特許文献】
【０００５】
【特許文献１】特開平９−１３２０６号公報
【特許文献２】実用新案登録第３１０９１２３号公報
【発明の概要】
【発明が解決しようとする課題】
【０００６】
しかしながら、上記いずれの従来技術にあっても、アウターボトム本体（特許文献１では外被部、特許文献２ではパンツ本体）とインナー（特許文献１では下着部、特許文献２ではガードル）とを直接縫着しているため、これらアウターボトム本体とインナーとの間のウエスト部分の寸法差及び両者の伸縮性の異同に起因してウエスト部分に見苦しい縒りや皺が発生し、これによって商品の見栄えが悪くなるだけでなく、ウエスト部分における着用感が極めて悪くなる、といった不都合があった。つまり、ウエスト部分におけるアウターボトム本体の周長と、アウターボトム本体のウエスト部分に縫着されるゴム紐の長さと、ウエスト部分におけるインナーの周長とは、それぞれの機能に起因して、この記載順に短くなっているとともに、これら３者の伸縮度合いはそれぞれの素材の特性によって全く異なっていることから、アウターボトム本体にインナーを縫着する場合、これら３者の引張加減を同時に調整しながらミシンをかけることは、実際にはかなりの熟練者でも極めて困難であった。このため、アウターボトム本体のウエスト部分に縒れや皺ができてしまっていた。
【０００７】
本発明は、係る点に鑑みて創案されたものであり、その目的とするところは、装着性に優れ、十分な体型補正機能を得ることは勿論のこと、ウエスト部分の仕上がりが美麗で且つウエスト部分の装着感が良好な補正機能付アウターボトム及びその製造方法を提供することを目的とする。
【課題を解決するための手段】
【０００８】
上記した目的を達成するため、本発明に係る補正機能付アウターボトムは、アウターボトム本体の股上部の内側に体型補正用インナーが配され、前記アウターボトム本体と前記体型補正用インナーとが相互の上辺同士でのみ縫着された補正機能付アウターボトムにおいて、前記体型補正用インナーは、その前見頃に腹部を補正する腹部補正体が前記上辺から股部にかけて設けられる一方、その後身頃には下臀部を支持するヒップアップ補正体が前記腹部補正体と一連に設けられるとともに、前記腹部補正体の上縁にはその幅方向に沿って少なくとも２箇所以上に亘り刳りが設けられ、前記アウターボトム本体の上辺と前記体型補正用インナーの上辺とが重ねられた状態でこれら両者が内側に折り返されるとともに、その折り返し部の内側に、前記アウターボトム本体と同じ生地からなる帯状布を長手方向に沿って二つ折りするとともにその内奥部に幅広の伸縮帯を内装したベルトが、前記帯状布の折り重ね部分で縫着されたことを特徴としている。
【０００９】
また、本発明に係る補正機能付アウターボトムの製造方法は、前見頃に腹部を補正する腹部補正体が上辺から股部にかけて設けられる一方、後身頃には下臀部を支持するヒップアップ補正体が前記腹部補正体と一連に設けられるとともに、前記腹部補正体の上縁にはその幅方向に沿って少なくとも２箇所以上に亘り刳りが設けられた体型補正用インナーをアウターボトム本体の内側に配してから、前記アウターボトム本体の上辺と前記体型補正用インナーの上辺とを重ねた状態で前記体型補正用インナーの上辺を伸ばしながら前記アウターボトム本体に体型補正用インナーの上辺の部分仕付けを行った後前記上辺同士を環縫いにより縫着し、次いで、その縫着部分をアウターボトム本体の内側に折り返すとともに、その折り返し部の内側に、前記アウターボトム本体と同じ生地からなる帯状布が長手方向に沿って二つ折りされるとともにその内奥部に幅広の伸縮帯が内装されたベルトを、前記帯状布の折り重ね部分で縫着することを特徴としている。
【００１０】
このような特定事項により、ウエスト部分における縫着作業を、アウターボトム本体と体型補正用インナーの２者間、ベルトと伸縮帯の２者間、及びベルトとアウターボトム本体との２者間といった具合に、縫着対象を２つずつに絞って行うことができるため、それら２つの引張加減を調整しながらミシンをかける作業は、従来の３つの素材（アウターボトム本体、体型補正用インナー及びゴム紐）を同時に縫着する作業に比べて遥かに容易となる。したがって、ウエスト部分に縒りや皺などが発生することがなく、仕上がりが美麗
で且つウエスト部分の装着感が良好な補正機能付アウターボトムを得ることができる。
【００１１】
上記の補正機能付アウターボトムにおいて、前記体型補正用インナーは、その股部にクロッチが設けられていてもよい。
【００１２】
この場合、クロッチによって着用者の股部を面で支持することができるため、股部への不快な食い込みを防ぐことができる。
【００１３】
上記の補正機能付アウターボトムにおいて、前記体型補正用インナーは、太腿の上部を覆う脚部を有するものであってもよい。
【００１４】
この場合、インナーによるヒップアップ効果をよりよく発揮させることができる。
【００１５】
上記の補正機能付アウターボトムにおいて、前記体型補正用インナーは、パワーネットまたはトリコットまたはサテンネットからなるものであってもよい。
【００１６】
この場合、ガードルに比べて締め付け感を緩和することができるため、よい装着感を得ることができる。
【００１７】
上記の補正機能付アウターボトムにおいて、前記アウターボトム本体は、スラックス、フィットネスパンツ、レギンスパンツ、スウェットのうちから選択されたいずれか一つであってもよい。
【００１８】
この場合、スラックス、フィットネスパンツ、レギンスパンツといった伸縮性の高い身体にフィットしたアウターボトムでも、スウェットといった身体から離れたルーズフィットなアウターボトムでも、着心地が楽でありながら、脇部や尻部が押さえられるため、体型が表に出たり、下着のラインがアウターボトムの表に映り美観を損なったりといったことがない。
【発明の効果】
【００１９】
本発明によれば、装着性に優れ、十分な体型補正機能を得ることは勿論のこと、ウエスト部分の仕上がりが美麗で且つウエスト部分の装着感が良好な補正機能付アウターボトムを提供することができる。
【図面の簡単な説明】
【００２０】
【図１】本発明に係る補正機能付アウターボトムの一実施形態を示す正面図であり、アウターボトム本体を裏返して体型補正用インナーを表に出した状態を示している。
【図２】図１に示す補正機能付アウターボトムに縫着されるインナーの正面図である。
【図３】図２に示す体型補正用インナーの背面図である。
【図４】体型補正用インナーの変形例を示す正面図である。
【図５】図１に示す補正機能付アウターボトムのウエスト部分の縫着構造を模式的に示す概略断面図である。
【図６】図１に示す補正機能付アウターボトムのウエスト部分の縫着手順を模式的に示す工程図である。
【図７】図１に示す補正機能付アウターボトムのウエスト部分の他の縫着手順を模式的に示す工程図である。
【発明を実施するための形態】
【００２１】
以下、本発明に係る補正機能付アウターボトムの一実施形態について、図面を参照して説明する。
【００２２】
図１は、補正機能付アウターボトムの正面図であり、アウターボトム本体を裏返して体型補正用インナーを表に出した状態を示している。図２は、補正機能付アウターボトムに縫着される体型補正用インナーの正面図、図３は、体型補正用インナーの背面図、図４は、体型補正用インナーの変形例を示す正面図、図５は、補正機能付アウターボトムのウエスト部分の縫着構造を模式的に示す概略断面図である。
【００２３】
なお、以下においては、アウターボトムとしてフィットネスパンツを例示しているが、本発明はこれに限るものではなく、例えば、スラックス、レギンスパンツ、スウェットといった多種多様なアウターボトムに適用し得るものである。
【００２４】
この補正機能付アウターボトム１は、図１に示すように、アウターボトム本体１０の股上部の内側に体型補正用インナー２０が配され、アウターボトム本体１０と体型補正用インナー２０とが相互の上辺１１，２１同士でのみ縫着されたものである。
【００２５】
体型補正用インナー２０は、図１及び図２に示すように、その前見頃２２に腹部を補正する腹部補正体２３が上辺２１から股部２４にかけて設けられている。また、体型補正用インナー２０の後身頃２５には、図３に示すように、下臀部を支持するヒップアップ補正体２６が腹部補正体２３と一連に設けられている。さらに、股部２４には、クロッチ２７が設けられており、このクロッチ２７によって着用者の股部を面で支持することができるため、股部への不快な食い込みを防ぐことができる。また、股部２４から下方には太腿の上部を覆う脚部２８が設けられており、これによってヒップアップ効果をよりよく発揮させることができる。なお、この脚部２８は必ずしも必要ではなく、体型補正用インナー２０は、脚部２８のない、所謂ショートパンツ形状であってもよい。
【００２６】
このようになる体型補正用インナー２０は、例えば、パワーネットまたはトリコットまたはサテンネットから構成されている。なお、図示例のように、複数の布片を相互に縫合することで構成してもよいし、あるいは、例えば経編機で一体的に筒状に編成することで構成してもよい。なお、図中の符号Ｓは、縫合線を示している。
【００２７】
また、体型補正用インナー２０の腹部補正体２３の上縁２３１には、その幅方向に沿って２箇所に亘り刳り２９が設けられている。この刳り２９の部分は、体型補正用インナー２０の本体素材生地２０１だけが現れている。このように腹部補正体２３の上縁２３１に刳り２９を少なくとも２箇所設けることによって、体型補正用インナー２０の上辺２１に、本体素材生地２０１に比べて低伸縮性且つ高弾性である腹部補正体２３の上縁２３１が位置していても、該上辺２１に腹部補正体２３の他の部位よりも高い伸縮性が付与されることとなる。換言すれば、体型補正用インナー２０の上辺２１における腹部補正体２３の低伸縮性及び高弾性が刳り２９の存在によって部分的に弱められる。その結果、体型補正用インナー２０の上辺２１が幅方向（図２において左右方向）に伸ばし易くなるため、アウターボトム本体１０と縫着する際に、容易に両者１０，２０の引張加減を調整しながらミシンがけを行うことができる。なお、刳り２９の形状は、図１及び図２に示すような逆三角形状であってもよいし、例えば図４に示すように、円弧状であってもよい。要するに、体型補正用インナー２０の上辺２１が幅方向に伸ばし易くなるのであれば、刳り２９の形状及び設ける数は任意である。
【００２８】
アウターボトム本体１０は、図１に示すように、裾が踝あたりまで達する脚部１２を備えている。このアウターボトム本体１０の素材生地は体にフィットし得る伸縮性を備えている。
【００２９】
以上説明したアウターボトム本体１０と体型補正用インナー２０とは、相互の上辺１１
，２１同士でのみ縫着されている。具体的には、図５に示すように、アウターボトム本体１０の上辺１１と体型補正用インナー２０の上辺２１とが重ねられた状態でこれら両者１０，２１が内側に折り返されるとともに、その折り返し部の内側に、アウターボトム本体１０と同じ生地からなる帯状布３１を長手方向に沿って二つ折りするとともにその内奥部に幅広の伸縮帯４０を内装したベルト３０が、帯状布３１の折り重ね部分３１１で縫着されている。伸縮帯４０としては、例えば幅寸法が、２０ｍｍ〜５０ｍｍ程度の幅広のゴム紐が適している。このように、伸縮帯４０として幅広のものを用いた場合、着用後に体型補正機能付アウターボトム１のウエスト部分がぴったりと装着者のウエストに止まってずれ下がることがないため、体型補正用インナー２０による体型補正機能を十分に発揮させることができる。
【００３０】
次に、この縫着の手順について、図６を参照して説明する。図６は、補正機能付アウターボトム１のウエスト部分の縫着手順を模式的に示す工程図である。
【００３１】
まず、図６（ａ）に示すように、体型補正用インナー２０をアウターボトム本体１０の内側（図において右側）に配してから、アウターボトム本体１０の上辺１１と体型補正用インナー２０の上辺２１とを重ねた状態で体型補正用インナー２０の上辺２１を伸ばしながらアウターボトム本体１０に体型補正用インナー２０の上辺２１の部分仕付け（図示略）を行った後、上辺１１，２１同士を環縫いＲにより縫着する。縫着作業が完了したら、その縫着部分を、図６（ｂ）に示すように、アウターボトム本体１０の内側に折り返す。
【００３２】
一方、図６（ｃ）に示すように、アウターボトム本体１０と同じ生地からなる帯状布３１の幅方向（図において上下方向）の中央部分に幅広の伸縮帯４０を、相互の引張加減を調整しながら縫合Ｐしてから、その帯状布３１を長手方向に沿って二つ折りにしてその内奥部に伸縮帯４０が内装されたベルト３０を用意しておく。
【００３３】
そして最後に、図５に示すように、アウターボトム本体１０と体型補正用インナー２０との折り返し部の内側に、ベルト３０の帯状布３１の折り重ね部分３１１を合わせて部分仕付けを行ってから、その合わせた部分を、アウターボトム本体１０の外側を除いて、オーバーロック縫いまたはインターロック縫いにより縫着Ｑして、体型補正機能付アウターボトム１が完成する。
【００３４】
なお、以上説明した縫製手順は、アウターボトム本体１０の生地が、伸度が低いかまたはほぼ無い生地の場合に適した手順である。アウターボトム本体１０の生地が、伸度がある生地の場合は、図７（ａ）に示すように、伸縮帯４０が上記と同様にして予め縫着された帯状布３１の一側縁３１２だけを、アウターボトム本体１０と体型補正用インナー２０との折り返し部の内側に相互の引張加減を調整しながら環縫いＲにより縫着してから、帯状布３１を長手方向に沿って二つ折りにしてその他側縁３１３を一側縁３１２に重ね合わせ、最後に、図７（ｂ）に示すように、折り重ね部分３１１を例えば平二本針縫いにより縫着Ｑして、体型補正機能付アウターボトム１が完成する。但し、この場合、平二本縫いはアウターボトム本体１０の外側まで施される。このように、アウターボトム本体１０の生地が、伸度がある生地の場合、アウターボトム本体１０と体型補正用インナー２０との折り返し部の内側に帯状布３１の折り重ね部分３１１を一度に縫着するのではなく、帯状布３１の両側縁を片側ずつ縫着することで、ウエスト部分を極めて美麗に仕上げることができる。
【００３５】
以上説明したように、上記の補正機能付アウターボトム１にあっては、ウエスト部分における縫着作業を、アウターボトム本体１０と体型補正用インナー２０の２者間、ベルト（帯状布３１）３０と伸縮帯４０の２者間、及びベルト３０とアウターボトム本体１０との２者間といった具合に、縫着対象を２つずつに絞って行うことができるため、それら２
つの引張加減を調整しながらミシンをかける作業は、従来の３つの素材を同時に縫着する作業に比べて遥かに容易となる。したがって、ウエスト部分に縒りや皺などが発生することがなく、仕上がりの美麗で且つウエスト部分の装着感が良好な補正機能付アウターボトム１を得ることができる。
【００３６】
以上、本発明の実施形態についてフィットネスパンツを例に挙げて説明したが、この他に、スラックス、レギンスパンツ、スウェットのいずれであってもよい。
【産業上の利用可能性】
【００３７】
本発明は、例えば、スラックス、フィットネスパンツ、レギンスパンツ、スウェットといった、所謂アウターボトムと呼ばれる下衣に利用できる。
【符号の説明】
【００３８】
１    補正機能付アウターボトム
１０  アウターボトム本体
１１  アウターボトム本体の上辺
２０  体型補正用インナー
２１  体型補正用インナーの上辺
２２  前見頃
２３  腹部補正体
２３１  腹部補正体の上縁
２４  股部
２５  後身頃
２６  ヒップアップ補正体
２７  クロッチ
２８  脚部
２９  刳り
３０  ベルト
３１  帯状布
３１１  帯状布の折り重ね部分
４０  伸縮帯
【図１】
2013181253.tif 000003
【図２】
2013181253.tif 000004
【図３】
2013181253.tif 000005
【図４】
2013181253.tif 000006
【図５】
2013181253.tif 000007
【図６】
2013181253.tif 000008
【図７】
2013181253.tif 000009